(57)【特許請求の範囲】
【請求項１】
円環状をなすように形成されたコンタクトが、当該コンタクトの一部に設けられたスリットを介して円周方向に分割され、
そのスリットを介して円周方向に対面する前記コンタクトの分割端面同士が、相手コネクタの嵌合時に円周方向に離間するようにして、前記コンタクトの弾性変位が行われる構成になされた円筒型コネクタにおいて、
前記コンタクトの分割端面の一方に、円周方向に突出するようにして調整凸部が設けられているとともに、前記コンタクトの分割端面の他方に、円周方向に窪むようにして調整凹部が設けられ、前記調整凸部が、前記調整凹部の内部に円周方向に移動可能に収容されたものであって、
前記調整凸部及び調整凹部の外周面には、円周方向に対して適宜の傾斜角度をなして延在する凸側傾斜ガイド部及び凹側傾斜ガイド部が設けられ、
それらの凸側傾斜ガイド部及び凹側傾斜ガイド部は、前記相手コネクタの嵌合による前記コンタクトの弾性変位時に当接して、前記調整凹部の開口部分を前記円周方向と直交する軸方向に押し広げるように弾性変位させる構成になされていることを特徴とする同軸型電気コネクタ。
【請求項２】
前記凸側傾斜ガイド部が、前記調整凹部の円周方向の開口部分に設けられていることを特徴とする請求項１記載の同軸型電気コネクタ。
【請求項３】
前記調整凸部は、前記コンタクトの一方側の分割端面から円周方向に細幅状をなして突出する挟幅突部と、その挟幅突部の突出側に前記円周方向と直交する軸方向に拡大されるように連設された拡大突部とを有し、
前記拡大突部と挟幅突部との連結境界部分に、前記凸側傾斜ガイド部が形成されていることを特徴とする請求項１記載の同軸型電気コネクタ。
【発明の詳細な説明】
【技術分野】
【０００１】
本発明は、円環状をなすように形成されたコンタクトが、相手コネクタの嵌合時にスリットを介して弾性変位されるように構成された同軸型電気コネクタに関する。
【背景技術】
【０００２】
一般に、種々の電気機器において、互いに嵌合接続可能に構成された一対の電気コネクタを使用して、細線同軸ケーブルやフレキシブル配線基板等の各種信号伝送媒体を印刷配線基板に電気的に接続したり、一対の配線基板同士（基板対基板）を電気的に接続することが広く行われている。そのような一対の電気コネクタとしては、例えば下記の特許文献１〜２に記載されているように信号伝送媒体や配線基板が連結されるプラグコネクタ（第１のコネクタ）と、配線基板上に実装されるリセプタクルコネクタ（第２のコネクタ）とが使用され、リセプタクルコネクタに対してプラグコネクタが嵌合されることによって電気的な接続が行われるようになっている。
【０００３】
ここで、上述した一対の配線基板同士（基板対基板）の接続に用いられる電気コネクタにおいて、コンタクトを同心状に配置した同軸型の電気コネクタが知られている。同軸型電気コネクタには、円周方向の一部にスリットが設けられた円環状のコンタクトが使用されており、そのスリットを介して円環状コンタクトが円周方向に分割されている。そして、相手コネクタとの間において嵌合又は抜去が行われた際に、上述したスリットを介して円周方向に対面するコンタクトの分割端面同士が円周方向に離間しながら、すなわちスリットの間隔が広げられながら、コンタクトの弾性変位が行われる。このように円環状コンタクトのスリットの間隔が広げられるように弾性変位が行われる際には、円環状コンタクトの外径がやや拡大されることとなるが、嵌合操作又は抜去操作が完了した時点で、コンタクトが元の位置に復元され、それによってコネクタ同士が嵌合状態又は解放状態に保持される。
【０００４】
ところが、上述したようにして相手コネクタに対する嵌合又は抜去の操作が行われるにあたっては、円環状コンタクトに生じる円周方向及び径方向の弾性変位が、常に一定の位置関係（タイミング）で且つ一定の応力状態で行われることから、嵌合・抜去における操作感覚、すなわち挿抜感触（クリック感）が固定的なものとなっている。その相手コネクタとの嵌合・抜去時における挿抜感触（クリック感）を調整しようとすると、円環状コンタクトの弾性変位状態を調整しなければならないが、そのためには、円環状コンタクト及びその円環状コンタクトを保持している絶縁ハウジングの材料特性、及び部品寸法を厳しく管理しなければならないなどの問題を招来する。このような電気コネクタの挿抜感触は、今後、重要なファクタになっていくと考えられるが、従来の電気コネクタでは、上述したように調整が難しいという問題がある。
【先行技術文献】
【特許文献】
【０００５】
【特許文献１】実開平３−３３９７９号公報
【特許文献２】実開平６−７７１８３号公報
【発明の開示】
【発明が解決しようとする課題】
【０００６】
そこで本発明は、簡易な構成で、相手コネクタとの嵌合・抜去時における挿抜感触（クリック感）を容易に調整することができるようにした電気コネクタを提供することを目的とする。
【課題を解決するための手段】
【０００７】
上記目的を達成するため本発明にかかる電気コネクタでは、円環状をなすように形成されたコンタクトが、当該コンタクトの一部に設けられたスリットを介して円周方向に分割され、そのスリットを介して円周方向に対面する前記コンタクトの分割端面同士が、相手コネクタの嵌合時に円周方向に離間するようにして、前記コンタクトの弾性変位が行われる構成になされた円筒型コネクタにおいて、前記コンタクトの分割端面の一方に、円周方向に突出するようにして調整凸部が設けられているとともに、前記コンタクトの分割端面の他方に、円周方向に窪むようにして調整凹部が設けられ、前記調整凸部が、前記調整凹部の内部に円周方向に移動可能に収容されたものであって、前記調整凸部及び調整凹部の外周面には、円周方向に対して適宜の傾斜角度をなして延在する凸側傾斜ガイド部及び凹側傾斜ガイド部が設けられ、それらの凸側傾斜ガイド部及び凹側傾斜ガイド部は、前記相手コネクタの嵌合による前記コンタクトの弾性変位時に当接して、前記調整凹部の開口部分を前記円周方向と直交する軸方向に押し広げるように弾性変位させる構成が採用されている。
【０００８】
このような構成からなる同軸型電気コネクタによれば、相手コネクタの嵌合又は抜去時に円環状コンタクトが円周方向に弾性変位するにあたって、まず円環状コンタクトの分割端面同士が離間するように移動が行われ、それに伴って調整凹部と、その内部に収容された調整凸部とが相対的に移動して、調整凸部の凸側傾斜ガイド部が、調整凹部の凹側傾斜ガイド部に当接するまで、円環状コンタクト自身の弾性を抵抗力として弾性変形が行われる。更に相手コネクタの嵌合が進められると、調整凸部の凸側傾斜ガイド部と調整凹部の凹側傾斜ガイド部と圧接状態となり、それら第１及び第２の傾斜ガイド同士の間に発生する傾斜分力によって、調整凹部の凹側傾斜ガイド部を有する部位が、円周方向と直交する軸方向に押し広げられるようにして弾性変位し、嵌合又は抜去動作が完了した時点でコンタクトが元の位置に復元され、それによってコネクタ同士が嵌合状態に保持又は開放状態になされる。
【０００９】
このように本発明においては、相手コネクタとの嵌合操作又は抜去操作が行われる初期の段階においては、円環状コンタクト自身が有する円周方向の弾性力下で弾性変位が行われるが、嵌合の途中で凸側傾斜ガイド部及び凹側傾斜ガイド部同士が当接したときから、円環状コンタクトの円周方向の弾性抵抗力に、軸方向の弾性抵抗力が付加される。従って、凸側傾斜ガイド部及び凹側傾斜ガイド部の傾斜角度や位置等を調整することによって、軸方向の弾性抵抗力が付加される大きさやタイミングが変化されることとなり、相手コネクタとの嵌合・抜去の操作感覚が容易に調整される。
【００１０】
また、本発明においては、前記凹側傾斜ガイド部が、前記調整凹部の円周方向の開口部分に設けられていることが可能である。
【００１１】
また、本発明における前記調整凸部は、前記コンタクトの一方側の分割端面から円周方向に細幅状をなして突出する挟幅突部と、その挟幅突部の突出側に前記円周方向と直交する軸方向に拡大されるように連設された拡大突部とを有し、前記拡大突部と挟幅突部との連結境界部分に、前記凸側傾斜ガイド部が形成された構成とすることが可能である。
【発明の効果】
【００１２】
以上述べたように本発明にかかる同軸型電気コネクタは、円環状コンタクトの分割端面に、円周方向に相対移動可能な調整凸部と調整凹部とを設けるとともに、これらの調整凸部及び調整凹部に設けた凸側傾斜ガイド部及び凹側傾斜ガイド部同士を、相手コネクタの嵌合時に当接させて調整凹部の開口部分を軸方向に押し広げるように弾性変位させて、嵌合の途中で凸側傾斜ガイド部及び凹側傾斜ガイド部同士が当接したときから円環状コンタクトの円周方向の弾性抵抗力に軸方向の弾性抵抗力を付加させる構成により、凸側傾斜ガイド部及び凹側傾斜ガイド部の傾斜角度や位置等を調整することで相手コネクタとの嵌合・抜去の操作感覚を容易に調整可能としたものであるから、簡易な構成で、相手コネクタとの嵌合・抜去時における挿抜感触（クリック感）を容易に調整することができ、同軸型電気コネクタの信頼性を安価かつ大幅に高めることができる。
【図面の簡単な説明】
【００１３】
【図１】本発明の一実施形態にかかる同軸型電気コネクタを印刷配線基板上に実装した使用状態を上方側から表した外観斜視説明図である。
【図２】図１に示された本発明の一実施形態にかかる同軸型電気コネクタ単品の構造を上方側から表した外観斜視説明図である。
【図３】図１及び図２に示された本発明の一実施形態にかかる同軸型電気コネクタの平面説明図である。
【図４】図３中の IV−IV 線に沿った縦断面説明図である。
【図５】図１乃至図４に示された本発明の一実施形態にかかる同軸型電気コネクタに用いられている円環状コンタクトを表した外観斜視説明図である。
【図６】図１乃至図４に示された本発明の一実施形態にかかる同軸型電気コネクタに用いられている絶縁ハウジングを表した外観斜視説明図である。
【図７】図１乃至図６に示された本発明の一実施形態にかかる同軸型電気コネクタを、相手コネクタに嵌合させる直前の状態を表した外観斜視説明図である。
【図８】図１乃至図６に示された本発明の一実施形態にかかる同軸型電気コネクタを、相手コネクタに嵌合させた後の嵌合完了状態を表した図４相当の縦断面説明図である。
【図９】図１乃至図６に示された本発明の一実施形態にかかる同軸型電気コネクタを、相手コネクタに嵌合させる直前の状態を表した側面説明図である。
【図１０】図９中のＡ部を拡大して表した部分側面説明図である。
【図１１】図１乃至図６に示された本発明の一実施形態にかかる同軸型電気コネクタの嵌合途中の状態を表した側面説明図である。
【図１２】図１１中のＢ部を拡大して表した部分側面説明図である。
【図１３】図１乃至図６に示された本発明の一実施形態にかかる同軸型電気コネクタの嵌合完了状態を表した側面説明図である。
【図１４】図１３中のＣ部を拡大して表した部分側面説明図である。
【発明を実施するための形態】
【００１４】
以下、本発明を、印刷配線基板同士を接続する同軸型電気コネクタに適用した実施形態について図面に基づき詳細に説明する。
【００１５】
［全体構造について］
図１〜図１４に示された本発明の一実施形態にかかる同軸型電気コネクタ１０は、例えば携帯電話等の電子機器内に配置された印刷配線基板Ｐ上に半田付けにより実装されるものであって、当該同軸型電気コネクタ１０が、作業者の手で把持されながら相手コネクタとしての他の同軸型電気コネクタ２０の図示上方側に同軸状に配置され（図７参照）、その後に、図示下方の同軸型電気コネクタ２０に向かって適宜の力で押し込まれることによって、両コネクタ１０，２０同士が嵌合された状態になされる。また、それらの両コネクタ１０，２０の嵌合状態から、本発明の一実施形態にかかる同軸型電気コネクタ１０を把持して、図示上方側に適宜の力で引き上げることで、相手側の同軸型電気コネクタ２０から、本発明の一実施形態にかかる同軸型電気コネクタ１０が、図示上方側に離脱するようにして抜去が行われる。
【００１６】
なお、上述した同軸型電気コネクタ１０の挿抜操作は、作業者の手で行われることに限られることはなく、機械によって自動的に行うようにしても良い。以下においては、同軸型電気コネクタ１０の挿入方向及び抜出方向を、それぞれ「下方向」及び「上方向」とする。なお、同軸型電気コネクタ１０単体の構成については、上下を反転した状態を図示して説明を行うこととする。
【００１７】
［絶縁ハウジングの構成について］
上述した同軸型電気コネクタ１０の本体部を構成している絶縁ハウジング１１は、プラスチック等の樹脂材を用いて例えばモールド成形されたものであって、印刷配線基板Ｐ上に載置されるベース枠体１１ａと、そのベース枠体１１ａの中心側部分から上方に向かって突出する略円筒状の中空体からなる中央枠体１１ｂと、を一体的に有している。そのうちの中央枠体１１ｂは、その下半側部分が略円筒形状をなすように形成されているとともに、当該中央枠体１１ｂの上半側部分は、上方に向かって内径が連続的に減じられる円錐形状の一部をなすように形成されている。
【００１８】
そして、その中央枠体１１ｂの内方側空間には、後述する信号伝送用の信号コンタクト１２が装着されているとともに、当該中央枠体１１ｂの外方側部分には、接地用のグランドコンタクト１３が装着されている。このとき、絶縁ハウジング１１の外周面に設けられた固定爪部１１ｃに対して、グランドコンタクト１３の内周面に形成された固定突起部１３ｉが引っかかるような形で係合状態となることによって、固定突起部１３ｉが固定爪部１１ｃとの接触面上を円周方向に摺動可能に固定が行われている。
【００１９】
［信号コンタクトの構成について］
信号コンタクト１２は、所定の薄厚金属板の折り曲げ部材から形成されており、印刷配線基板Ｐ上に形成された図示しない信号導電路に半田接合される接続脚部１２ａを有している。その接続脚部１２ａは、絶縁ハウジング１１の外方側から内方側に向かって帯板状をなすように延在しており、当該接続脚部１２ａの内端部分から略直角に折れ曲がって絶縁ハウジング１１の内壁面に沿うようにして上方側に延出している。そして、その上端部分に、側面略Ｕ字形状をなす嵌合接触部１２ｂが一体的に連接されている。
【００２０】
この嵌合接触部１２ｂは、上方に向けて開口する縦断面略台形状（図４参照）をなすように形成されており、後述する相手コネクタとしての他の同軸型電気コネクタ２０に設けられた信号コンタクト２２の嵌合接触部２２ｂに対して、外方側から覆うように嵌め込まれる構成（図８参照）になされている。
【００２１】
［グランドコンタクトの構成について］
一方、本発明における円環状コンタクトに相当するグランドコンタクト１３も、所定の薄厚金属板の折り曲げ部材から形成されており、略円筒状の中空形状をなすように形成されたグランド本体部１３ａの外周下縁部の複数箇所（３箇所）から、半径外方側に向かって一体的に延出する複数（３体）の接続脚部１３ｂが、印刷配線基板Ｐ上に形成されたグランド導電路Ｐ１に半田接合されるようになっている。
【００２２】
また、このグランドコンタクト１３を構成しているグランド本体部１３ａの外周上縁部分には、半径方向の内方側に張り出す円環状係合部１３ｃが絞り成形されている。このグランドコンタクト１３の円環状係合部１３ｃは、後述する相手コネクタとしての他の同軸型電気コネクタ２０に設けられた円環状係止部２３ｃに対して弾性的な嵌合状態（図８参照）になされる。
【００２３】
ここで、上述したグランドコンタクト１３のグランド本体部１３ａは、上述したように円環状をなすように形成されているが、そのグランド本体部１３ａの円周方向における１箇所には、当該グランド本体部１３ａを円周方向に分割するスリット１３ｄが形成されている。このスリット１３ｄは、円環形状の軸方向に延在する溝状空隙を形成するものであるが、当該スリット１３ｄを介して円周方向に分割されたグランド本体部１３ａの分割端面１３ｅ，１３ｆ同士が、所定幅の溝状空隙を介して円周方向に対面するように配置されている。このグランド本体部１３ａの分割端面１３ｅ，１３ｆ同士は、上述したスリット１３ｄを介して円周方向に離間又は近接するように移動可能となっており、その分割端面１３ｅ，１３ｆ同士の離間又は近接に伴って、グランド本体部１３ａの弾性変位が、円周方向及び径方向に行われるように構成されている。
【００２４】
そして、後述する相手コネクタとしての他の同軸型電気コネクタ２０に対する嵌合操作が行われる際に、上述したグランドコンタクト１３の円環状係合部１３ｃが、他の同軸型電気コネクタ２０のグランド本体部２３ａの端部（図７の上方側）に対して当接すると、グランド本体部１３ａの内径部分が外方に押し広げられるように弾性変形が行われ、グランド本体部１３ａの分割端面１３ｅ，１３ｆ同士が円周方向に離間するように移動して、当該グランド本体部１３ａが円周方向及び径方向に拡大する方向に弾性変位する。更に、他の同軸型電気コネクタ２０に対する嵌合操作が完了したときには、グランド本体部１３ａの分割端面１３ｅ，１３ｆ同士が、再び円周方向に近接するように移動し、グランド本体部１３ａが、円周方向及び径方向に縮小する方向に復元されるようになっている。なお、他の同軸型電気コネクタ２０に対する同軸型電気コネクタ１０の抜去操作時には、上述した弾性変位が逆方向に行われる。
【００２５】
また、上述したグランド本体部１３ａに設けられた分割端面１３ｅ，１３ｆの一方１３ｅに、円周方向に突出するようにして調整凸部１３ｇが設けられ、他方の分割端面１３ｆには、円周方向に窪むようにして調整凹部１３ｈが設けられている。そのうちの調整凹部１３ｈは、分割端面１３ｆに開口部を有しており、その開口部を通して調整凸部１３ｇが、調整凹部１３ｈの奥側（図１０の右方側）に向かって突出し、当該調整凸部１３ｇが調整凹部１３ｈの内方に遊嵌状態で収容されている。そのとき調整凹部１３ｈの内方空間が有する円周方向の長さは、調整凸部１３ｇの円周方向長さよりも大きく形成されており、そのように調整凹部１３ｈの内方空間が長く形成されている分だけ、調整凸部１３ｇが円周方向に往復移動可能になされている。
【００２６】
このとき、上述した調整凸部１３ｇは、グランド本体部１３ａの一方側の分割端面１３ｅから円周方向に細幅状をなして突出する挟幅突部１３ｇ１と、その挟幅突部１３ｇ１の突出側（図１０の右方側）に連設された拡大突部１３ｇ２とを有している。その拡大突部１３ｇ２は、グランド本体部１３ａが有する円環形状（円周方向）の軸方向（上下方向）に張り出すように拡大された幅広形状になされており、その幅広状をなす拡大突部１３ｇ２が、軸方向（上下方向）に細幅状をなすように形成された挟幅突部１３ｇ１を介して、前記分割端面１３ｅと円周方向に一体的に繋げられている。
【００２７】
さらに、上述した拡大突部１３ｇ２と挟幅突部１３ｇ１との連結境界部分には、円周方向に対して適宜の傾斜角度をなして延在する凸側傾斜ガイド部１３ｇ３が形成されている。この凸側傾斜ガイド部１３ｇ３は、グランド本体部１３ａが有する円環形状の軸方向（上下方向）において対称的な位置及び形状を有するように一対設けられており、挟幅突部１３ｇ１から拡大突部１３ｇ２に向かって円環形状の軸方向（上下方向）に連続的な傾斜面を形成するように延在している。
【００２８】
一方、調整凹部１３ｈは、上述した調整凸部１３ｇを円周方向に移動可能とする内部空間を有しており、その内部空間が、上述した分割端面１３ｆにおいて開口部を有するように形成されている。そして、その調整凹部１３ｈの開口部を形成している開口端縁部分には、グランド本体部１３ａが有する円環形状の軸方向（上下方向）に突出する一対の係合片１３ｈ１，１３ｈ１が設けられている。それら一対の係合片１３ｈ１，１３ｈ１は、軸方向（上下方向）において互いに対向するように突出する形状になされており、当該係合片１３ｈ１，１３ｈ１同士によって調整凹部１３ｈの開口部分が狭められた形状になされている。そして、その調整凹部１３ｈにおける狭められた開口部分に、上述した調整凸部１３ｇの挟幅突部１３ｇ１が配置されており、挟幅突部１３ｇ１に対して係合片１３ｈ１，１３ｈ１が軸方向（上下方向）の両側から近接する配置関係になされている。
【００２９】
このときの調整凹部１３ｈに設けられた各係合片１３ｈ１は、調整凸部１３ｇの凸側傾斜ガイド部１３ｇ３に近接する配置関係になされているが、それらの各係合片１３ｈ１には、凸側傾斜ガイド部１３ｇ３に沿って斜め方向に延在する凹側傾斜ガイド部１３ｈ２が形成されている。これらの調整凸部１３ｇの凸側傾斜ガイド部１３ｇ３と、調整凹部１３ｈの凹側傾斜ガイド部１３ｈ２とは、円周方向及び軸方向（上下方向）に対面する配置関係になされている。
【００３０】
そして、相手コネクタとしての他の同軸型電気コネクタ２０に対する嵌合操作が行われていない初期状態においては、上述した凸側傾斜ガイド部１３ｇ３と凹側傾斜ガイド部１３ｈ２との間に所定の間隔Ｓ１（図１０参照）が形成されており、両部材同士が離間された状態になされている。これに対して、他の同軸型電気コネクタ２０に対する嵌合・抜去が行われる際には、前述したようにグランドコンタクト１３が円周方向に弾性変形し、グランド本体部１３ａの分割端面１３ｅ，１３ｆ同士が円周方向に離間するように移動して間隔Ｓ２（図１２参照）に拡大するが、それに伴って、凸側傾斜ガイド部１３ｇ３と凹側傾斜ガイド部１３ｈ２とが近接して当接される。
【００３１】
すなわち、上述したようにグランド本体部１３ａの分割端面１３ｅ，１３ｆ同士が円周方向に離間するに伴って、調整凸部１３ｇと調整凹部１３ｈとが円周方向に相対移動すると、調整凸部１３ｇに設けられた凸側傾斜ガイド部１３ｇ３と、調整凹部１３ｈに設けられた凹側傾斜ガイド部１３ｈ２とが、互いに近接するように移動して当接される。このように凸側傾斜ガイド部１３ｇ３と凹側傾斜ガイド部１３ｈ２とが近接して当接するまでの間は、グランド本体部１３ａ自身が有する弾性に基づいた比較的小さい円周応力状態となる。
【００３２】
一方、上述したように凸側傾斜ガイド部１３ｇ３と凹側傾斜ガイド部１３ｈ２とが当接した後に、更に分割端面１３ｅ，１３ｆ同士が円周方向に離間する方向にグランド本体部１３ａの弾性変形が継続されると、凸側傾斜ガイド部１３ｇ３と凹側傾斜ガイド部１３ｈ２とが圧接状態となり、それら両傾斜ガイド部１３ｇ３，１３ｈ２同士の間に、グランド本体部１３ａの円環形状の軸方向（上下方向）に分力が生じる。そして、その軸方向（上下方向）の分力によって、調整凹部１３ｈの係合片１３ｈ１，１３ｈ１が同方向に弾性変位し、調整凹部１３ｈの開口部が押し広げられるように弾性変形される。このときのグランド本体部１３ａには、上述した初期段階の円周応力に加えて、軸方向（上下方向）の応力が付加され、比較的大きな応力状態下で、他の同軸型電気コネクタ２０に対する嵌合・抜去が行われることとなる。
【００３３】
［相手コネクタの全体構成について］
このような構成を有する本発明の一実施形態にかかる円筒型コネクタ１０は、図７及び図８に示されているように、相手コネクタとしての他の同軸型電気コネクタ２０に対して上方側から嵌合され、又は上方側に向かって抜出される構成になされている。そのときの相手コネクタ２０も、概略同様な構成になされているため、同様な構成を有する部材については十の位の「１」を「２」に代えて表し、異なる構成についての説明を以下行うこととする。
【００３４】
まず、他の同軸型電気コネクタ２０に設けられた絶縁ハウジング２１は、平面略矩形状をなす平板状部材から形成されており、その絶縁ハウジング２１の中心部分に、信号伝送用の信号コンタクト２２が装着されている。また、その信号コンタクト２２を外方側から取り囲むようにして、接地用のグランドコンタクト２３が装着されている。
【００３５】
［信号コンタクトの構成について］
信号コンタクト２２は、所定の薄厚金属板の折り曲げ部材から形成されており、印刷配線基板Ｑ上に形成された信号導電路（図示省略）に半田接合される接続脚部２２ａを有している。その接続脚部２２ａは、絶縁ハウジング２１の中心側に延出しており、中心部分において略直角に折れ曲がって上方に立ち上がるように突出する中空のピン形状をなす嵌合接触部２２ｂが一体的に連接されている。この嵌合接触部２２ｂには、前述した本発明にかかる円筒型コネクタ１０に設けられた嵌合接触部１２ｂが外方側から覆うように嵌め込まれる構成（図８参照）になされている。
【００３６】
［グランドコンタクトの構成について］
また、この同軸型電気コネクタ２０に設けられたグランドコンタクト２３も、所定の薄厚金属板の折り曲げ部材から形成されており、略円筒状の中空形状をなすように形成されたグランド本体部２３ａの外周部から、半径外方側に向かって一体的に延出する複数の接続脚部２３ｂが、印刷配線基板Ｑ上に形成されたグランド導電路（図示省略）に半田接合されるようになっている。このグランド本体部２３ａの外周上縁部分には、環状溝からなる円環状係止部２３ｃが成形されている。当該円環状係止部２３ｃに対しては、前述した本発明にかかる円筒型コネクタ１０の円環状係合部１３ｃが、外方側から被さるようにして弾性的な嵌合状態（図８参照）になされる。
【００３７】
なお、このグランドコンタクト２３のグランド本体部２３ａには、本発明にかかる円筒型コネクタ１０におけるグランドコンタクト２３のような円周方向分割用のスリットは設けられていない。
【００３８】
そして、この相手コネクタとしての他の同軸型電気コネクタ２０の上方に、前述した本発明の一実施形態にかかる同軸型電気コネクタ１０が、図７及び図８に示されているように下向きに反転した状態で対向するように配置されてから、下方に押し込むようにして嵌合が行われる。その嵌合操作においては、他の同軸型電気コネクタ２０の円環状係止部２３ｃに対して、同軸型電気コネクタ１０の円環状係合部１３ｃが上方側から当接して圧接状態となることで、グランド本体部１３ａが円周方向に拡大する方向に弾性変形し、当該グランド本体部１３ａの分割端面１３ｅ，１３ｆ同士が円周方向に離間するように移動する。このときのグランド本体部１３ａの弾性変形は、当該グランド本体部１３ａ自身が有する弾性に基づいた比較的小さい円周応力の下で行われる。
【００３９】
このようなグランド本体部１３の弾性変形に伴って、調整凸部１３ｇと調整凹部１３ｈとが円周方向に相対移動し、それぞれの凸側傾斜ガイド部１３ｇ３と凹側傾斜ガイド部１３ｈ２とが互いに近接して当接される。これらの凸側傾斜ガイド部１３ｇ３と凹側傾斜ガイド部１３ｈ２との当接後、嵌合操作の進行に伴って、分割端面１３ｅ，１３ｆ同士が更に円周方向に離間する方向にグランド本体部１３ａの弾性変形が継続されるが、そのときに凸側傾斜ガイド部１３ｇ３と凹側傾斜ガイド部１３ｈ２とが圧接状態となることから、それら両傾斜ガイド部１３ｇ３，１３ｈ２同士の間に、グランド本体部１３ａの円環形状の軸方向（上下方向）に分力が生じる。そして、その軸方向（上下方向）分力によって、調整凹部１３ｈの開口部が押し広げられるような弾性変形が行われ、当該調整凹部１３ｈの係合片１３ｈ１，１３ｈ１が、軸方向の両側に弾性変位する。このとき、グランド本体部１３ａには、上述した初期段階の円周応力に加えて、軸方向（上下方向）の応力が付加され、それら両応力が加算された比較的大きな応力状態下で、他の同軸型電気コネクタ２０に対する嵌合が行われる。
【００４０】
また、両コネクタ１０，２０同士の嵌合操作が完了したときには、同軸型電気コネクタ１０に設けられたグランド本体部１３ａの分割端面１３ｅ，１３ｆ同士が円周方向に再び近接するように移動して元の間隔Ｓ１（図１４参照）に戻され、グランド本体部１３ａが円周方向に縮小する方向に復元される。なお、同軸型電気コネクタ１０の抜去時には、上述した工程と逆方向の弾性変位が行われる。
【００４１】
このように本実施形態においては、他の同軸型電気コネクタ（相手コネクタ）２０との嵌合操作又は抜去操作が行われる初期の段階においては、円環状のグランドコンタクト１３自身が有する円周方向の弾性力下で弾性変位が行われるが、嵌合の途中で、凸側傾斜ガイド部１３ｇ３と凹側傾斜ガイド部１３ｈ２とが当接したときから、円環状グランドコンタクト１３の円周方向の弾性抵抗力に、軸方向の弾性抵抗力が付加されることとなる。従って、凸側傾斜ガイド部１３ｇ３及び凹側傾斜ガイド部１３ｈ２における傾斜角度や位置等を調整すれば、軸方向の弾性抵抗力が付加される大きさやタイミングが変化されることとなり、他の同軸型電気コネクタ（相手コネクタ）２０との嵌合・抜去における操作感覚が容易に調整される。
【００４２】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【産業上の利用可能性】
【００４３】
以上のように本発明は、各種電子・電気機器に使用される多種多様な同軸型電気コネクタに対して広く適用することが可能である。
【符号の説明】
【００４４】
１０  同軸型電気コネクタ
１１  絶縁ハウジング
１１ａ  ベース枠体
１１ｂ  中央枠体
１１ｃ  固定爪部
１２  信号コンタクト
１２ａ  接続脚部
１２ｂ  嵌合接触部
１３  グランドコンタクト（円環状コンタクト）
１３ａ  グランド本体部
１３ｂ  接続脚部
１３ｃ  円環状係合部
１３ｄ  スリット
１３ｅ，１３ｆ  分割端面
１３ｇ  調整凸部
１３ｇ１  挟幅突部
１３ｇ２  拡大突部
１３ｇ３  凸側傾斜ガイド部
１３ｈ  調整凹部
１３ｈ１  係合片
１３ｈ２  凹側傾斜ガイド部
１３ｉ  固定突起部
Ｐ  印刷配線基板
Ｐ１  グランド導電路
Ｓ１，Ｓ２  端面同士の間隔
２０  他の同軸型電気コネクタ（相手コネクタ）
２１  絶縁ハウジング
２２  信号コンタクト
２２ａ  接続脚部
２２ｂ  嵌合接触部
２３  グランドコンタクト
２３ａ  グランド本体部
２３ｂ  接続脚部
２３ｃ  円環状係止部
Ｑ  印刷配線基板
【図１】
0005849784.tif 000002
【図２】
0005849784.tif 000003
【図３】
0005849784.tif 000004
【図４】
0005849784.tif 000005
【図５】
0005849784.tif 000006
【図６】
0005849784.tif 000007
【図７】
0005849784.tif 000008
【図８】
0005849784.tif 000009
【図９】
0005849784.tif 000010
【図１０】
0005849784.tif 000011
【図１１】
0005849784.tif 000012
【図１２】
0005849784.tif 000013
【図１３】
0005849784.tif 000014
【図１４】
0005849784.tif 000015